(57)【要約】【課題】任意の時間に使用者の好みに応じた香りおよび霧状溶液を空気中に放出するとともに装置形状や外観さらには発光源などの配置によって様々な視覚効果を加味した超音波霧化芳香装置および方法を提供する。【解決手段】超音波霧化線香装置１は、霧化されると線香と同様の香りを発する溶液２０を収容するための容器１０と、容器１０の底面に設けられかつ超音波を発する超音波発生装置１１と、先端部に赤色ランプ１２ａが設けられた中空の疑似線香１２とを備える。超音波霧化線香装置１の使用に際しては、超音波発生装置１１により溶液２０を霧化して、霧化した溶液２０を容器１０の上面に疑似線香１２を立設した疑似線香１２の中空部を通して疑似線香１２の先端から空気中に発する。【選択図】  図１
2005177230.tif 000002
【特許請求の範囲】
【請求項１】
霧化されると成分と同様の香りを発する溶液（２０，１２０，２２０，３２０）が収容される本体（１０，１１０，２１０，３１０）と、
該本体内に設けられたかつ超音波を発して前記溶液を霧化する超音波発生装置（１１）と、
前記本体に設けられたかつ前記超音波発生装置により前記本体内で霧化された溶液を空気中に放出するための中空の筒状部（１２，１１１，２１２，３１１）と、
前記本体に設けられた所定の色彩を帯びた発光源（１２ａ，１３０，２３０，３３０）と、
を備え、
前記発光源を発光させるとともに、前記超音波発生装置により前記溶液を霧化して該霧化された溶液を前記筒状部を通して空気中に発する、
ことを特徴とする、超音波霧化芳香装置。
【請求項２】
前記筒状部（１２）が、
線香と同じ色の中空の本体部（１２ｂ）と、
該本体部（１２ｂ）の先端に設けられかつ白色の繊維材からなる灰部（１２ｃ）と、
前記本体部（１２ｂ）の先端と前記灰部（１２ｃ）との間に設けられた前記色彩を帯びた発光源（１２ａ）とを有し、
前記筒状部（１２）が、前記本体（１０）の上面に立設されており、
前記色彩を帯びた発光源（１２ａ）に電圧を供給するためのリード線が、前記本体部（１２ｂ）の中空部に配線されており、
前記溶液が、マツ科，ビャクダン科，カンラン科またはシソ科の植物から採取された精油からなる、
ことを特徴とする、請求項１記載の超音波霧化芳香装置。
【請求項３】
前記本体（１１０）が、蒸気機関車の形状を有し、
前記筒状部（１２）が、前記本体の上面に設けられたかつ前記本体の前記溶液（１２０）が収容された空間と中空部が通じる煙突（１１１）であり、
前記色彩を帯びた発光源（１２ａ）が赤色光源でありかつ前記本体の内部に設けられるとともに、該発光源が外部から見えるように前記本体の側面に窓（１１２）が設けられており、
前記溶液が、ヒノキ科の植物から採取された精油からなる、
ことを特徴とする、請求項１記載の超音波霧化芳香装置。
【請求項４】
前記本体（２１０）が、前記溶液（２２０）が収容される灰皿部（２１１）と、該灰皿部に載せられたかつ前記筒状部（１２）であるタバコ部（２１２）とを有し、
前記色彩を帯びた発光源（１２ａ）が、赤色光源であって、かつ、前記タバコ部の先端に設けられており、
前記タバコ部が、前記灰皿部の前記溶液（１２０）が収容された空間と通じる中空部と、前記発光源の先端に設けられたかつ前記超音波発生装置により霧化された溶液を空気中に発するための穴（２１３）とを有し、
前記溶液が、イネ科の植物から採取された精油からなる、
ことを特徴とする、請求項１記載の超音波霧化装置。
【請求項５】
前記本体（３１０）が、暖炉の形状を有するとともに、前記超音波発生装置により霧化された溶液を空気中に発するための煙突（３１１）を有し、
前記色彩を帯びた発光源（１２ａ）が、前記本体に外部から見えるように設けられており、
前記溶液が、ニクズク科，エゴノミ科またはセリ科の植物から採取された精油からなる、
ことを特徴とする、請求項１記載の超音波霧化装置。
【請求項６】
霧化されると成分と同様の香りを発する溶液（２０，１２０，２２０，３２０）を超音波で霧化し、
該霧化した溶液を本体（１０，１１０，２１０，３１０）の筒状部（１２）の中空部を通して該筒状部の先端から空気中に発し、
前記本体に設けられた所定の色彩を帯びた発光源（１２ａ，１３０，２３０，３３０）を発光させる、
ことを特徴とする、超音波霧化線香芳香方法。
【請求項７】
前記溶液が、マツ科，ビャクダン科，カンラン科またはシソ科の植物から採取された精油からなることを特徴とする、請求項６記載の超音波霧化線香方法。
【請求項８】
前記溶液が、ヒノキ科の植物から採取された精油からなることを特徴とする、請求項６記載の超音波霧化線香方法。
【請求項９】
前記溶液が、イネ科の植物から採取された精油からなることを特徴とする、請求項６記載の超音波霧化線香方法。
【請求項１０】
前記溶液が、ニクズク科，エゴノミ科またはセリ科の植物から採取された精油からなることを特徴とする、請求項６記載の超音波霧化線香方法。
【発明の詳細な説明】
【技術分野】
【０００１】
本発明は、超音波霧化芳香装置および方法に関し、特に、超音波を用いて溶液を霧化して霧状溶液（霧化された溶液）および香りを特定の方向の空気中に発するとともに所定の色彩を帯びた発光源を用いて彩色発光することにより、視認効果を高めつつ溶剤の香りも使用者の好みに合わせることができる超音波霧化芳香装置および方法に関する。
【背景技術】
【０００２】
従来、超音波霧化芳香装置は、加湿装置、芳香装置、あるいは霧を発する演出装置として利用されてきた。特に、芳香装置としての用途は、使用する芳香溶剤の多くが熱によって変質してしまう性質のものでもあり、超音波による非加熱での拡散方式が好んで用いられている。また、演出装置としては、霧が立ち込めているイメージを出すために、霧化された水分あるいは溶剤が、広い開口部から空気中に放出されている。
【０００３】
しかし、いずれの装置も、超音波霧化の原理を生かした用途事例になっていない。霧化装置は、非加熱であるため溶剤を選ぶ自由度が高く、また溶剤の組み合わせで使用者の微妙な嗜好を実現することも可能である。これに、装置形状や外観さらには発光源などの配置によって様々な視覚効果を加味すれば、加湿効果、芳香効果、演出効果を一体化させた、従来にない霧化装置が提案できる。
【０００４】
本発明者は、超音波霧化芳香装置を特に擬似線香として用いることを提案している。従来の線香は火を使用するために火災などの危険があることから、火を使用しない安全な電子式の線香が開発されている。
このような線香としては、たとえば以下に示す特許文献に開示されているものがある。
【特許文献１】特開２００３−１３５２５５号公報
【特許文献２】特開２００２−２７２５９２号公報
【特許文献３】特開２００１−１９９８６０号公報
【特許文献４】特開平７−８００５４号公報
【発明の開示】
【発明が解決しようとする課題】
【０００５】
上記特許文献１（特開平２００３−１３５２５５号公報）は、赤色ＬＥＤを内部に有する香炉状容器と香炉状容器に挿設された線香状棒体とを備えており、線香状棒体が不透明な被服層を有する光ファイバーと光散乱用先端小頭部とを備え、香炉状容器内部にある光ファイバーの基端部が赤色ＬＥＤから光を受けて、光ファイバーの先端小頭部から光を散乱状に発するように構成された葬祭具を開示する。しかしながら、このような光ファーバーを使用した葬祭具では、線香に似た光を発することはできるが、線香に似た煙および香りを発することができない。
【０００６】
上記特許文献２（特開２００２−２７２５９２号公報）は、市販されている線香台に基体を置いて線香体挿入穴に線香体の基端部を挿入し、電源用スイッチをオンすると、基体に内蔵されている発行ダイオードから発光された光が線香体を透過し、線香体の先端部に被せられた過熱収縮チューブから拡散放光されるように構成された電子線香を開示する。しかしながら、このような電子線香では、上記した光ファーバーを使用した葬祭具と同様に、線香に似た光を発することはできるが、線香に似た煙および香りを発することができない。
【０００７】
上記特許文献３（特開２００１−１９９８６０号公報）は、タブレット状の香を水に入れるだけで、従来の線香に近い香りと煙の出る線香を開示する。しかしながら、このようなタブレット状の香を使用する線香では、従来の線香に近い香りと煙を出すことはできるが、タブレット状の香がすべて溶けるまでの一定期間作動するものであり、任意に作動を止めることができない。
【０００８】
上記特許文献４（特開平７−８００５４号公報）は、セラミックヒータに接触すると共に香料あるいは消臭剤を収容した容器から突出した吸上芯と、セラミックヒータの発熱作用を制御する電気回路と、これを開閉成するスイッチとからなり、吸上芯をセラミックヒータにて伝導加熱して香り等を蒸散させかつ疑似線香と組み合わせる線香器を開示する。しかしながら、このような線香では、線香に似た香りを発することはできるが、疑似線香として極小ランプを使用しているため、線香に似た光を発することはできない。また、近年では、線香にも多種の香りが登場し、使用者の嗜好も多様化していることから、熱源を用いた香りの蒸散では、生成できない種類の香りもある。
【０００９】
本発明の目的は、任意の時間に使用者の好みに応じた香りおよび霧状溶液を空気中に放出するとともに装置形状や外観さらには発光源などの配置によって様々な視覚効果を加味した超音波霧化芳香装置および方法を提供することにある。
【課題を解決するための手段】
【００１０】
本発明の超音波霧化芳香装置は、霧化されると成分と同様の香りを発する溶液（２０，１２０，２２０，３２０）が収容される本体（１０，１１０，２１０，３１０）と、該本体内に設けられたかつ超音波を発して前記溶液を霧化する超音波発生装置（１１）と、前記本体に設けられたかつ前記超音波発生装置により前記本体内で霧化された溶液を空気中に放出するための中空の筒状部（１２，１１１，２１２，３１１）と、前記本体に設けられた所定の色彩を帯びた発光源（１２ａ，１３０，２３０，３３０）とを備え、前記発光源を発光させるとともに、前記超音波発生装置により前記溶液を霧化して該霧化された溶液を前記筒状部を通して空気中に発することを特徴とする。
ここで、前記筒状部（１２）が、線香と同じ色の中空の本体部（１２ｂ）と、該本体部（１２ｂ）の先端に設けられかつ白色の繊維材からなる灰部（１２ｃ）と、前記本体部（１２ｂ）の先端と前記灰部（１２ｃ）との間に設けられた前記色彩を帯びた発光源（１２ａ）とを有し、前記筒状部（１２）が、前記本体（１０）の上面に立設されており、前記色彩を帯びた発光源（１２ａ）に電圧を供給するためのリード線が、前記本体部（１２ｂ）の中空部に配線されており、前記溶液が、マツ科，ビャクダン科，カンラン科またはシソ科の植物から採取された精油からなってもよい。
また、前記本体（１１０）が、蒸気機関車の形状を有し、前記筒状部（１２）が、前記本体の上面に設けられたかつ前記本体の前記溶液（１２０）が収容された空間と中空部が通じる煙突（１１１）であり、前記色彩を帯びた発光源（１２ａ）が赤色光源でありかつ前記本体の内部に設けられるとともに、該発光源が外部から見えるように前記本体の側面に窓（１１２）が設けられており、前記溶液が、ヒノキ科の植物から採取された精油からなってもよい。
さらに、前記本体（２１０）が、前記溶液（２２０）が収容される灰皿部（２１１）と、該灰皿部に載せられたかつ前記筒状部（１２）であるタバコ部（２１２）とを有し、
前記色彩を帯びた発光源（１２ａ）が、赤色光源であって、かつ、前記タバコ部の先端に設けられており、前記タバコ部が、前記灰皿部の前記溶液（１２０）が収容された空間と通じる中空部と、前記発光源の先端に設けられたかつ前記超音波発生装置により霧化された溶液を空気中に発するための穴（２１３）とを有し、前記溶液が、イネ科の植物から採取された精油からなってもよい。
さらに、前記本体（３１０）が、暖炉の形状を有するとともに、前記超音波発生装置により霧化された溶液を空気中に発するための煙突（３１１）を有し、前記色彩を帯びた発光源（１２ａ）が、前記本体に外部から見えるように設けられており、前記溶液が、ニクズク科，エゴノミ科またはセリ科の植物から採取された精油からなってもよい。
【００１１】
本発明の超音波霧化芳香方法は、霧化されると成分と同様の香りを発する溶液（２０，１２０，２２０，３２０）を超音波で霧化し、該霧化した溶液を本体（１０，１１０，２１０，３１０）の筒状部（１２）の中空部を通して該筒状部の先端から空気中に発し、
前記本体に設けられた所定の色彩を帯びた発光源（１２ａ，１３０，２３０，３３０）を発光させることを特徴とする。
ここで、前記溶液が、マツ科，ビャクダン科，カンラン科またはシソ科の植物から採取された精油からなってもよい。
また、前記溶液が、ヒノキ科の植物から採取された精油からなってもよい。
さらに、前記溶液が、イネ科の植物から採取された精油からなってもよい。
さらに、前記溶液が、ニクズク科，エゴノミ科またはセリ科の植物から採取された精油からなってもよい。
【発明の効果】
【００１２】
本発明の超音波霧化芳香装置および方法は、以下に示すような効果を奏する。
（１）超音波を利用して溶液を霧化するため、線香の煙などに似た霧化溶液の発生を超音波発生装置のスイッチのオン／オフにより制御することができるので、任意の時間に線香などに似た香りおよび霧化溶液を発することができる。
（２）超音波の周波数を変えることによって、たとえば、線香の煙に似た霧化溶液の粒子の大きさを変えることができ、祭壇の大きさに合わせて線香の煙に似た霧化溶液の大きさを調整することができる。
（３）超音波の周波数を高くすることにより、たとえば、線香の煙などに似た霧化溶液の粒子を細かくすることができるため、この霧化溶液により周囲の物が濡れることを防ぐことができる。
（４）超音波を利用することにより、沸点の違う混合溶液を同時に霧化することができる。
（５）超音波を利用することにより、溶液に温度をかけないので、溶液の性質を変えないようにすることができる。
（６）超音波を利用することにより、可聴音を発生させずにすみ、電気代も安くすみ、ヒータ式のような、発熱によるやけどや火災などの恐れもなくすことができる。
【発明を実施するための最良の形態】
【００１３】
任意の時間に使用者の好みに応じた香りおよび霧状溶液を空気中に放出するとともに装置形状や外観さらには発光源などの配置によって様々な視覚効果を加味することができるという目的を、霧化されると成分と同様の香りを発する溶液を超音波を利用して霧化するとともに発光源を用途に応じて配置することにより実現した。
【実施例１】
【００１４】
以下、本発明の超音波霧化芳香装置および方法の実施例について図面を参照して説明する。
本発明の第１の実施例による超音波霧化芳香装置は、疑似線香装置として使用される超音波霧化線香装置１であり、図１に示すように、溶液２０を収容するための本体１０と、本体１０の底面に設けられたかつ超音波を発する超音波発生装置１１と、先端部に赤色ランプ１２ａが設けられた疑似線香１２と、赤色ランプ１２ａおよび超音波発生装置１１をオン／オフするためのスイッチ１３と、赤色ランプ１２ａおよび超音波発生装置１１にスイッチ１３を介して電圧を供給するための電源コード１４とを備える。
【００１５】
ここで、本体１０の上面には、疑似線香１２の基体部を挿入して立設するための挿入穴１０ａが設けられている。また、疑似線香１２は、線香と同じ色の中空の繊維質材またはプラスチッックなどの樹脂またはアルミなどの金属からなる本体部１２ｂと、本体部１２ｂの先端に設けられかつ白色の繊維材からなる灰部１２ｃと、本体部１２ｂの先端と灰部１２ｃとの間に設けられた赤色ランプ１２ａとを有し、赤色ランプ１２ａに電圧を供給するためのリード線（不図示）が本体部１２ｂの中空部に配線されている。
また、溶液２０は、マツ科，ビャクダン科，カンラン科またはシソ科の植物から採取された精油からなり、超音波発生装置１１で霧化されると、線香に似た香りを発するものである。なお、このような精油としては、たとえば有限会社ハーベストシーズンから販売されている商品名「シダーウッド・アトラス」，「サンダルウッド」，「フランキンセンス」または「パチュリー」の精油を使用することができる。
【００１６】
上記のように構成された超音波霧化線香装置１では、スイッチ１３により赤色ランプ１２ａおよび超音波発生装置１１をオンすると、赤色ランプ１２ａが点灯または点滅するとともに、超音波発生装置１１により発生された超音波により溶液２０が霧化される。霧化された溶液（霧状溶液）２０は、疑似線香１２の本体部１２ｂ，赤色ランプ１２ａおよび灰部１２ｃの中空部を通って疑似線香１２の先端から空気中に発せられる。これにより、疑似線香１２の先端から線香の香りに似た香りが空気中に発せられるとともに、線香の煙に似た霧化された溶液２０が空気中に発せられるため、あたかも本物の線香が焼香されているように見せることができる。
なお、赤色ランプ１２ａの代わりに、たとえば赤色ＬＥＤなどのような線香が焼香されているように見せることができる色を発する発光源（色彩を帯びた発光源）を用いてもよい。
【００１７】
また、超音波発生装置１１に供給する交流電圧の周波数を変換する周波数変換装置を設けて超音波発生装置１１で発生する超音波の周波数を変えることによって、線香に似た霧の粒子の大きさを変えることができ、祭壇の大きさに合わせて線香に似た煙の大きさを調整したり、超音波発生装置１１で発生する超音波の周波数を高くすることによって線香に似た霧の粒子を細かくしてこの霧により周囲の物が濡れることを防いだりすることができる。
【実施例２】
【００１８】
次に、本発明の第２の実施例による超音波霧化芳香装置および方法について図２を参照して説明する。
本実施例による超音波霧化芳香装置１００は、蒸気機関車の置物として使用されるものであり、図２に示すように、内部に溶液１２０が収容されたかつ台座の上に蒸気機関車が載せられた形状をした本体１１０と、本体１１０内部の底面に設けられかつ超音波を発する超音波発生装置（不図示）と、本体１１０内部に設けられた赤色ランプ１３０と、本体１１０の台座に設けられたかつ赤色ランプ１３０および超音波発生装置をオン／オフするためのスイッチ１４０と、赤色ランプ１３０および超音波発生装置にスイッチ１４０を介して電圧を供給するための電源コード１５０とを備える。
【００１９】
ここで、本体１１０の上面には、超音波発生装置により霧化された溶液１２０を空気中に放出するための煙突１１１が設けられている。また、本体１１０の側面には、赤色ランプ１３０が見えるように窓１１２が設けられている。
また、溶液１２０は、ヒノキ科の植物から採取された精油からなり、超音波発生装置で霧化されると、蒸気機関車用の薪や炭を燃やした香りに似た香りを発するものである。なお、このような精油としては、たとえば有限会社ハーベストシーズンから販売されている商品名「シダーウッド・バージニアン」の精油を使用することができる。
【００２０】
上記のように構成された本実施例による超音波霧化芳香装置１００では、スイッチ１４０により赤色ランプ１３０および超音波発生装置をオンすると、赤色ランプ１３０が点灯または点滅するとともに、超音波発生装置により発生された超音波により溶液１２０が霧化される。これにより、点灯または点滅された赤色ランプ１３０が本体１１０の側面に設けられた窓１１２を通して外部から見えることにより、あたかも薪や炭を燃やしているように見せることができる。また、霧化された溶液（霧状溶液）１２０が本体１１０の上面に設けられた煙突１１１から空気中に発せられることにより、煙突１１１から薪や炭を燃やした香りに似た香りが空気中に発せられるとともに、煙突１１１から蒸気機関車の煙に似た霧化された溶液１２０が空気中に発せられるため、あたかも本物の蒸気機関車が煙を出して走っているように見せることができる。
なお、赤色ランプ１３０の代わりに、たとえば赤色ＬＥＤなどのような薪や炭を燃やしているように見せることができる色を発する発光源（色彩を帯びた発光源）を用いてもよい。
【実施例３】
【００２１】
次に、本発明の第３の実施例による超音波霧化芳香装置および方法について図３を参照して説明する。
本実施例による超音波霧化芳香装置２００は、灰皿に火の点いたタバコが載せられている置物として使用されるものであり、図３に示すように、内部に溶液２２０が収容される灰皿部２１１と灰皿部２１１に載せられたタバコ部２１２とからなる本体２１０と、本体２１０の灰皿部２１１の内部の底面に設けられたかつ超音波を発する超音波発生装置（不図示）と、本体２１０のタバコ部２１２の先端に設けられた赤色ランプ２３０と、本体２１０の灰皿部２１１の側面に設けられたかつ赤色ランプ２３０および超音波発生装置をオン／オフするためのスイッチ２４０と、赤色ランプ２３０および超音波発生装置にスイッチ２４０を介して電圧を供給するための電源コード２５０とを備える。
【００２２】
ここで、本体２１０のタバコ部２１２は中空となっており、タバコ部２１２の中空部は灰皿部２１１内部の空間部と通じている。また、タバコ部２１２の先端の上面には、超音波発生装置により霧化された溶液２２０を空気中に放出するための穴２１３が設けられている。これにより、灰皿部２１１で霧化された溶液は、灰皿部２１１内部の空間部およびタバコ部２１２の中空部を通って穴２１３から空気中に放出される。
また、溶液２２０は、イネ科の植物から採取された精油からなり、超音波発生装置で霧化されると、タバコの香りに似た香りを発するものである。なお、このような精油としては、たとえば合資会社野ノームから販売されている商品名「パロマローザ」の精油を使用することができる。
【００２３】
上記のように構成された本実施例による超音波霧化芳香装置２００では、スイッチ２４０により赤色ランプ２３０および超音波発生装置をオンすると、赤色ランプ２３０が点灯または点滅するとともに、超音波発生装置により発生された超音波により溶液２２０が霧化される。これにより、点灯または点滅された赤色ランプ２３０により、あたかもタバコに火が点いているように見せることができる。また、霧化された溶液（霧状溶液）２２０がタバコ部２１２の先端の上面に設けられた穴２１３から空気中に発せられることにより、穴２１３からタバコの香りに似た香りが空気中に発せられるとともに、穴２１３からタバコの煙に似た霧化された溶液（霧化溶液）２２０が空気中に発せられるため、あたかも火が点けられたタバコが灰皿の上に載せられているように見せることができる。
なお、赤色ランプ２３０の代わりに、たとえば赤色ＬＥＤなどのようなタバコに火が点いているように見せることができる色を発する発光源（色彩を帯びた発光源）を用いてもよい。
【実施例４】
【００２４】
次に、本発明の第４の実施例による超音波霧化芳香装置および方法について図４を参照して説明する。
本実施例による超音波霧化芳香装置３００は、暖炉の置物として使用されるものであり、図４に示すように、内部に溶液３２０が収容されたかつ暖炉の形状をした本体３１０と、本体３１０内部の底面に設けられかつ超音波を発する超音波発生装置（不図示）と、本体３１０に設けられた赤色ランプ３３０と、本体３１０に設けられたかつ赤色ランプ３３０および超音波発生装置をオン／オフするためのスイッチ３４０と、赤色ランプ３３０および超音波発生装置にスイッチ３４０を介して電圧を供給するための電源コード３５０とを備える。
【００２５】
ここで、本体３１０には、超音波発生装置により霧化された溶液２２０を空気中に放出するための煙突３１１が設けられている。また、赤色ランプ３３０は、外部から見えるように本体３１０に設けられている。
また、溶液３２０は、ニクズク科，エゴノミ科またはセリ科の植物から採取された精油からなり、超音波発生装置で霧化されると、暖炉用の薪を燃やしたときの香り（たとえば、シナモンにオレンジを加えたような香り）に似た香りを発するものである。なお、このような精油としては、たとえば有限会社ハーベストシーズンから販売されている商品名「ナツメグ」，「ベンゾイン」または「キャロット・シード」の精油を使用することができる。
【００２６】
上記のように構成された本実施例による超音波霧化芳香装置３００では、スイッチ３４０により赤色ランプ３３０および超音波発生装置をオンすると、赤色ランプ３３０が点灯または点滅するとともに、超音波発生装置により発生された超音波により溶液３２０が霧化される。これにより、点灯または点滅された赤色ランプ３３０が外部から見えることにより、あたかも暖炉用の薪を燃やしているように見せることができる。また、霧化された溶液（霧状溶液）３２０が本体３１０に設けられた煙突３１１から空気中に発せられることにより、煙突３１１から暖炉用の薪を燃やしたときの香りに似た香りが空気中に発せられるとともに、煙突３１１から暖炉の煙に似た霧化された溶液３２０が空気中に発せられるため、あたかも本物の暖炉で薪を燃やしたように見せることができる。
なお、赤色ランプ３３０の代わりに、たとえば赤色ＬＥＤなどのような暖炉で薪を燃やしているように見せることができる色を発する発光源（色彩を帯びた発光源）を用いてもよい。
【産業上の利用可能性】
【００２７】
以上説明したように、本発明の超音波霧化芳香装置および方法は、火を使用しない安全な線香として使用することができるほか、本物の蒸気機関車，タバコおよび暖炉に似せた置物として使用することができる。
【図面の簡単な説明】
【００２８】
【図１】本発明の第１の実施例による超音波霧化芳香装置の構成を示す図である。（実施例１）
【図２】本発明の第２の実施例による超音波霧化芳香装置の構成を示す図である。（実施例２）
【図３】本発明の第３の実施例による超音波霧化芳香装置の構成を示す図である。（実施例３）
【図４】本発明の第４の実施例による超音波霧化芳香装置の構成を示す図である。（実施例４）
【符号の説明】
【００２９】
１  超音波霧化線香装置
１０，１１０，２１０，３１０  本体
１０ａ  挿入穴
１１  超音波発生装置
１２  疑似線香
１２ａ，１３０，２３０，３３０  赤色ランプ
１２ｂ  本体部
１２ｃ  灰部
１３，１４０，２４０，３４０  スイッチ
１４，１５０，２５０，３５０  電源コード
２０，１２０，２２０  溶液
１００，２００，３００  超音波霧化芳香装置
１１１，３１１  煙突
１１２  窓
２１１  灰皿部
２１２  タバコ部
２１３  穴
【図１】
2005177230.tif 000003
【図２】
2005177230.tif 000004
【図３】
2005177230.tif 000005
【図４】
2005177230.tif 000006